(57)【要約】【課題】環境温度が低下した場合でも、スクリーンを巻取部材に確実に巻き取る。【解決手段】環境温度が低下した場合には、カバー部材３０が径方向に収縮される。そして、スクリーン１２が巻取部材２６から展開されるときには、カバー部材３０に設けられた複数のカバー部３０Ａ，３０Ｂ，３０Ｃのうちのカバー部３０Ａによってコイルスプリング２８における長手方向の一部の径方向への拡がりが拘束される。このため、この状態からスクリーン１２が巻取部材２６から展開されたときには、コイルスプリング２８の長手方向の残余部がコイルスプリング２８の有効長に相当し、環境温度が低下する前と比較してコイルスプリング２８の有効長が短縮される。これにより、コイルスプリング２８の捩り力が環境温度が低下する前（常温）と比較して増加され、スクリーン１２を巻取部材２６に確実に巻き取ることができる。【選択図】図３
2008230305.tif 000002
【特許請求の範囲】
【請求項１】
シート状のスクリーンと、
前記スクリーンを巻き取るための筒状の巻取部材と、
前記巻取部材の内部に配置され、前記スクリーンが前記巻取部材から展開されたときには径方向に拡径されてその捩り力により前記巻取部材を前記スクリーンが巻き取られる方向に付勢するコイルスプリングと、
前記巻取部材の内部に配置されると共にその内部に前記コイルスプリングが配置された筒状に構成され、且つ、前記コイルスプリングとの径方向距離が互いに異なるカバー部を長手方向に複数備え、環境温度の低下に伴い少なくとも径方向に収縮されるように構成されたカバー部材と、
を備えたことを特徴とする遮光装置。
【請求項２】
前記複数のカバー部のうち少なくとも最も前記コイルスプリングとの径方向距離が小さく構成されたカバー部は、環境温度の低下に伴い径方向に収縮された場合には、前記スクリーンが前記巻取部材から展開されるときに、前記コイルスプリングにおける長手方向の一部の径方向への拡がりを拘束するように構成されていることを特徴とする請求項１に記載の遮光装置。
【請求項３】
前記カバー部材は、熱可塑性樹脂により形成されていることを特徴とする請求項１又は請求項２に記載の遮光装置。
【請求項４】
前記複数のカバー部は、別体に構成されていることを特徴とする請求項１乃至請求項３のいずれか一項に記載の遮光装置。
【請求項５】
前記複数のカバー部は、一体に構成されていることを特徴とする請求項１乃至請求項３のいずれか一項に記載の遮光装置。
【請求項６】
シート状のスクリーンと、
前記スクリーンを巻き取るための筒状の巻取部材と、
前記巻取部材の内部に配置され、前記スクリーンが前記巻取部材から展開されたときには径方向に拡径されてその捩り力により前記巻取部材を前記スクリーンが巻き取られる方向に付勢するコイルスプリングと、
前記巻取部材の内部に配置されると共にその内部に前記コイルスプリングにおける長手方向の一部が配置された筒状に構成され、且つ、環境温度の低下に伴い少なくとも径方向に収縮されるように構成されて、環境温度の低下に伴い径方向に収縮された場合には、前記スクリーンが前記巻取部材から展開されたときに、前記コイルスプリングにおける長手方向の一部の径方向への拡がりを拘束するように構成された拘束部と、
を備えたことを特徴とする遮光装置。
【請求項７】
前記巻取部材の内部に配置されると共にその内部に前記コイルスプリングが配置された筒状のカバー部材を備え、
前記拘束部は、前記カバー部材における長手方向の一部を構成していることを特徴とする請求項６に記載の遮光装置。
【発明の詳細な説明】
【技術分野】
【０００１】
本発明は、遮光装置に係り、特に、コイルスプリングにより付勢された巻取部材でスクリーンを巻き取るように構成された遮光装置に関する。
【背景技術】
【０００２】
従来、この種の遮光装置としては、例えば、次のものが知られている（例えば、特許文献１参照）。この特許文献１に記載の例では、カバーを巻き取るためのシャフトと、シャフトを付勢するためのスプリングが設けられている。また、シャフトとスプリングとの間には、異音発生防止のためのサイレンサが設けられている。
【特許文献１】特開２００３−２０５７８６号公報（図３）
【特許文献２】実開平６−６１５３３号公報（図１）
【発明の開示】
【発明が解決しようとする課題】
【０００３】
しかしながら、上記構成において、環境温度の低下に伴いサイレンサが収縮された場合には、これがロスとなってスプリングの捩り力が低下し、カバーをシャフトに巻き取ることができない虞がある。従って、環境温度が低下した場合でも、カバーをシャフトに確実に巻き取ることができるようにするためには改良の余地がある。
【０００４】
本発明は、上記問題に鑑みてなされたものであって、その目的は、環境温度が低下した場合でも、スクリーンを巻取部材に確実に巻き取ることができる遮光装置を提供することにある。
【課題を解決するための手段】
【０００５】
前記課題を解決するために、請求項１に記載の遮光装置は、シート状のスクリーンと、前記スクリーンを巻き取るための筒状の巻取部材と、前記巻取部材の内部に配置され、前記スクリーンが前記巻取部材から展開されたときには径方向に拡径されてその捩り力により前記巻取部材を前記スクリーンが巻き取られる方向に付勢するコイルスプリングと、前記巻取部材の内部に配置されると共にその内部に前記コイルスプリングが配置された筒状に構成され、且つ、前記コイルスプリングとの径方向距離が互いに異なるカバー部を長手方向に複数備え、環境温度の低下に伴い少なくとも径方向に収縮されるように構成されたカバー部材と、を備えたことを特徴とする。
【０００６】
請求項１に記載の遮光装置では、筒状の巻取部材の内部にコイルスプリングが配置されており、このコイルスプリングは、スクリーンが巻取部材から展開されたときには径方向に拡径されてその捩り力により巻取部材をスクリーンが巻き取られる方向に付勢する。従って、展開されたスクリーンを巻き取る場合には、コイルスプリングの捩り力により巻取部材を回転させてスクリーンを容易に巻き取ることができる。
【０００７】
ところで、この種のコイルスプリングにより付勢された巻取部材でスクリーンを巻き取るように構成された遮光装置では、環境温度が低下した場合でも、スクリーンを巻取部材に確実に巻き取ることができるようにする必要がある。
【０００８】
この点、請求項１に記載の遮光装置では、コイルスプリングをカバーするためのカバー部材が設けられており、このカバー部材は、コイルスプリングとの径方向距離が互いに異なるカバー部を長手方向に複数備え、環境温度の低下に伴い少なくとも径方向に収縮されるように構成されている。
【０００９】
従って、環境温度が低下した場合には、カバー部材が、環境温度の低下に伴い径方向に収縮される。そして、スクリーンが巻取部材から展開されるときには、カバー部材に設けられた複数のカバー部のうち、少なくとも最もコイルスプリングとの径方向距離が小さく構成されたカバー部によってコイルスプリングにおける長手方向の一部の径方向への拡がりが拘束される。
【００１０】
このため、この状態からスクリーンが巻取部材から展開されたときには、コイルスプリングの長手方向の残余部がコイルスプリングの有効長に相当し、環境温度が低下する前と比較してコイルスプリングの有効長が短縮される。これにより、コイルスプリングの捩り力が、環境温度が低下する前と比較して増加される。
【００１１】
このように、請求項１に記載の遮光装置によれば、環境温度が低下した場合には、コイルスプリングの捩り力が、環境温度が低下する前と比較して増加されるので、環境温度が低下した場合でも、スクリーンを巻取部材に確実に巻き取ることができる。
【００１２】
請求項２に記載の遮光装置は、請求項１に記載の遮光装置において、前記複数のカバー部のうち少なくとも最も前記コイルスプリングとの径方向距離が小さく構成されたカバー部は、環境温度の低下に伴い径方向に収縮された場合には、前記スクリーンが前記巻取部材から展開されるときに、前記コイルスプリングにおける長手方向の一部の径方向への拡がりを拘束するように構成されていることを特徴とする。
【００１３】
請求項２に記載の遮光装置によれば、複数のカバー部のうち少なくとも最もコイルスプリングとの径方向距離が小さく構成されたカバー部は、環境温度の低下に伴い径方向に収縮された場合には、スクリーンが巻取部材から展開されるときに、コイルスプリングにおける長手方向の一部の径方向への拡がりを拘束する。これにより、環境温度が低下した場合には、スクリーンが巻取部材から展開されたときに、環境温度が低下する前と比較してコイルスプリングの有効長を短縮することができる。
【００１４】
請求項３に記載の遮光装置は、請求項１又は請求項２に記載の遮光装置において、前記カバー部材は、熱可塑性樹脂により形成されていることを特徴とする。
【００１５】
請求項３に記載の遮光装置によれば、カバー部材は、熱可塑性樹脂により形成されているので、環境温度が低下した場合には径方向に収縮されて、コイルスプリングにおける長手方向の一部の径方向への拡がりを拘束することができる。
【００１６】
請求項４に記載の遮光装置は、請求項１乃至請求項３のいずれか一項に記載の遮光装置において、前記複数のカバー部は、別体に構成されていることを特徴とする。
【００１７】
請求項４に記載の遮光装置によれば、複数のカバー部は、別体に構成されている。従って、複数のカバー部を、例えばそれぞれ異なる径の筒状部材等により容易且つ確実に形成することができる。これにより、複数のカバー部を有するカバー部材全体の製造コストの増加を防止することができる。
【００１８】
請求項５に記載の遮光装置は、請求項１乃至請求項３のいずれか一項に記載の遮光装置において、前記複数のカバー部は、一体に構成されていることを特徴とする。
【００１９】
請求項５に記載の遮光装置によれば、複数のカバー部は、一体に構成されている。従って、部品点数の増加を防止することができる。
【００２０】
また、前記課題を解決するために、請求項６に記載の遮光装置は、シート状のスクリーンと、前記スクリーンを巻き取るための筒状の巻取部材と、前記巻取部材の内部に配置され、前記スクリーンが前記巻取部材から展開されたときには径方向に拡径されてその捩り力により前記巻取部材を前記スクリーンが巻き取られる方向に付勢するコイルスプリングと、前記巻取部材の内部に配置されると共にその内部に前記コイルスプリングにおける長手方向の一部が配置された筒状に構成され、且つ、環境温度の低下に伴い少なくとも径方向に収縮されるように構成されて、環境温度の低下に伴い径方向に収縮された場合には、前記スクリーンが前記巻取部材から展開されたときに、前記コイルスプリングにおける長手方向の一部の径方向への拡がりを拘束するように構成された拘束部と、を備えたことを特徴とする。
【００２１】
請求項６に記載の遮光装置では、筒状の巻取部材の内部にコイルスプリングが配置されており、このコイルスプリングは、スクリーンが巻取部材から展開されたときには径方向に拡径されてその捩り力により巻取部材をスクリーンが巻き取られる方向に付勢する。従って、展開されたスクリーン展開されたスクリーンを巻き取る場合には、コイルスプリングの捩り力により巻取部材を回転させてスクリーンを容易に巻き取ることができる。
【００２２】
ここで、請求項６に記載の遮光装置では、コイルスプリングにおける長手方向の一部がその内部に配置された拘束部が設けられている。この拘束部は、環境温度の低下に伴い少なくとも径方向に収縮されるように構成されて、環境温度の低下に伴い径方向に収縮された場合には、スクリーンが巻取部材から展開されるときに、コイルスプリングにおける長手方向の一部の径方向への拡がりを拘束する。
【００２３】
このため、この状態からスクリーンが巻取部材から展開されたときには、コイルスプリングの長手方向の残余部がコイルスプリングの有効長に相当し、環境温度が低下する前と比較してコイルスプリングの有効長が短縮される。これにより、コイルスプリングの捩り力が、環境温度が低下する前と比較して増加される。
【００２４】
このように、請求項６に記載の遮光装置によれば、環境温度が低下した場合には、コイルスプリングの捩り力が、環境温度が低下する前と比較して増加されるので、環境温度が低下した場合でも、スクリーンを巻取部材に確実に巻き取ることができる。
【００２５】
請求項７に記載の遮光装置は、請求項６に記載の遮光装置において、前記巻取部材の内部に配置されると共にその内部に前記コイルスプリングが配置された筒状のカバー部材を備え、前記拘束部は、前記カバー部材における長手方向の一部を構成していることを特徴とする。
【００２６】
請求項７に記載の遮光装置によれば、コイルスプリングをカバーするためのカバー部材が設けられており、上述の拘束部は、このカバー部材における長手方向の一部を構成している。従って、部品点数の増加を防止することができる。
【発明を実施するための最良の形態】
【００２７】
はじめに、本発明の一実施形態に係る遮光装置１０の構成について説明する。
【００２８】
図１には、本発明の一実施形態に係る遮光装置１０の全体構成を示す斜視図、図２には、この遮光装置１０の全体構成を示す正面図、図３には、この遮光装置１０の要部拡大断面図がそれぞれ示されている。なお、図１では、スクリーン１２が展開途中とされたときにおける状態が示されており、図２，図３では、スクリーン１２が巻取部材２６に巻き取られて収納されたときにおける状態が示されている。
【００２９】
本発明の一実施形態に係る遮光装置１０は、例えば、乗用自動車等のリアガラスの遮光を行うために車両に搭載されるものであり、図１，図２に示されるように、スクリーン１２と、巻取機構１４と、リンク機構１６と、ベース部材１８と、駆動機構２０と、コントローラ２２と、を主要な構成として備えている。
【００３０】
スクリーン１２は、例えば遮光性を有する布材等により構成されており、シート状に形成されている。このスクリーン１２の一端は、後述する巻取部材２６に固定されている。スクリーン１２の展開側の幅方向縁部１２Ａには、スクリーン支持部材２４が設けられている。スクリーン支持部材２４は、スクリーン１２の幅方向縁部１２Ａの長手方向に沿って設けられており、スクリーン１２は、その幅方向縁部１２Ａがスクリーン支持部材２４に支持されることによって幅方向に広げられた状態に維持されている。
【００３１】
巻取機構１４は、図３に示されるように、巻取部材２６と、コイルスプリング２８と、カバー部材３０と、を有して構成されている。巻取部材２６は、スクリーン１２を巻き取るためのものであり、長手円筒状に構成されている。巻取部材２６の両端側には、ホルダキャップ３２，３４がそれぞれ一体的に嵌合されており、このホルダキャップ３２，３４には、シャフト３６，３８がそれぞれ回動可能に保持されている。シャフト３６，３８は、ベース部材１８（図１参照）に設けられたステー４０にそれぞれ一体的に固定されている。そして、この構成により、巻取部材２６は、後述するベース部材１８に対し回動可能とされている。
【００３２】
コイルスプリング２８は、その内部に一方のシャフト３６が挿入された状態で、巻取部材２６の内部に配置されている。コイルスプリング２８は、その一端２８Ａがシャフト３６に固定され、その他端２８Ｂがホルダキャップ３２に固定されている。このコイルスプリング２８は、スクリーン１２が巻取部材２６から展開されたときには径方向に拡径されてその捩り力により巻取部材２６をスクリーン１２が巻き取られる方向に付勢する。
【００３３】
カバー部材３０（サイレンサ）は、コイルスプリング２８と巻取部材２６の干渉を防止する機能を果たすものであり、チューブ状（円筒状）に構成されている。このカバー部材３０は、その内部にコイルスプリング２８が配置されると共に、巻取部材２６の内部に配置されている。また、このカバー部材３０には、互いに異なる径で構成されたカバー部３０Ａ，３０Ｂ，３０Ｃが長手方向に複数備えられている。この複数のカバー部３０Ａ，３０Ｂ，３０Ｃは、それぞれ別体に構成されている。
【００３４】
また、カバー部材３０は、環境温度の低下に伴い収縮される材料、例えば、ポリ塩化ビニール等により構成されている。そして、このカバー部材３０に設けられた複数のカバー部３０Ａ，３０Ｂ，３０Ｃのうち最も内径が小さく構成されたカバー部３０Ａと、二番目に内径が小さく構成されたカバー部３０Ｂは、例えば、その収縮率及び内径が最適に設定されることで、後に詳述するように、環境温度の低下に伴い径方向に収縮された場合には、スクリーン１２が巻取部材２６から展開されるときに、コイルスプリング２８における長手方向の一部の径方向への拡がりを拘束するように構成されている。
【００３５】
なお、本実施形態では、複数のカバー部３０Ａ，３０Ｂ，３０Ｃのうち最も内径が小さく構成されたカバー部３０Ａと、二番目に内径が小さく構成されたカバー部３０Ｂとによって本発明に係る拘束部が構成されている。
【００３６】
リンク機構１６は、図１，図２に示されるように、リンクロッド４２と、レバー４４と、ロアリンク４６と、アッパリンク４８と、を備えて構成されている。各リンクロッド４２は、その一端が後述するリンクレバー５８の各回動端とそれぞれ回動可能に連結され、その他端が各レバー４４の回動端とそれぞれ回動可能に連結されている。
【００３７】
また、各レバー４４は、ベース部材１８の両端にそれぞれ回動可能に連結されており、各ロアリンク４６は、各レバー４４の回動軸に一体的に固定されて各レバー４４と共に回動されるようになっている。各アッパリンク４８は、中間ジョイント５０を介して各ロアリンク４６の回動端に連結されており、その回動端は上述のスクリーン支持部材２４の両端にそれぞれ回動可能に連結されている。
【００３８】
ベース部材１８は、上述の巻取部材２６の長手方向に沿って設けられている。ベース部材１８の両端側には、アシストスプリング５２（バランススプリング）がそれぞれ設けられている。各アシストスプリング５２は、その一端がベース部材１８に係止され、その他端が各レバー４４の回動端に係止されている。この各アシストスプリング５２は、レバー４４をスクリーン１２が展開される方向（図１の矢印Ｒ３方向）に付勢している。
【００３９】
駆動機構２０は、駆動モータ５６と、リンクレバー５８と、支持部材６０と、を備えて構成されており、ベース部材１８の中央部に配置されている。駆動モータ５６は、支持部材６０によってベース部材１８に固定されており、リンクレバー５８は、支持部材６０に回動可能に支持されている。また、リンクレバー５８は、駆動モータ５６の出力軸６２と接続されており、この駆動モータ５６の出力軸６２と共に回動されるようになっている。
【００４０】
コントローラ２２は、例えば、ＣＰＵ、ＲＯＭ、ＲＡＭ等が実装された電気回路を備えて構成されており、外部制御装置から出力された制御信号を入力して駆動モータ５６の制御を行うように構成されている。
【００４１】
次に、本発明の一実施形態に係る遮光装置１０の作用及び効果について説明する。
【００４２】
本発明の一実施形態に係る遮光装置１０では、図１に示される駆動モータ５６がコントローラ２２からの制御信号（正転信号）を入力して正転し、リンクレバー５８がＲ１方向に回動されると、このリンクレバー５８とリンクロッド４２を介して連結されたレバー４４がＲ３方向に回動される。また、レバー４４がＲ３方向に回動されると、このレバー４４に固定されたロアリンク４６がＲ５方向に回動され、このロアリンク４６と中間ジョイント５０を介して連結されたアッパリンク４８がＲ７方向に回動される。そして、このロアリンク４６及びアッパリンク４８の作動に伴い、スクリーン１２が上側に引っ張られ、これにより、スクリーン１２が巻取部材２６から展開される。
【００４３】
また、このとき、巻取部材２６の内部に配置されたコイルスプリング２８は、スクリーン１２が巻取部材２６から展開されたときには径方向に拡径されてその捩り力により巻取部材２６をスクリーン１２が巻き取られる方向に付勢する。従って、スクリーン１２の弛みが防止されてスクリーン１２が展張された状態となる。そして、ロアリンク４６及びアッパリンク４８が回動されて、ロアリンク４６とアッパリンク４８とが垂直方向に沿って直線状となると、リンク機構１６が伸長姿勢とされる。また、リンク機構１６が伸長姿勢とされると、スクリーン１２が例えば車両のリアガラス全体を覆う展開状態とされる。
【００４４】
一方、駆動モータ５６がコントローラ２２からの制御信号（反転信号）を入力して反転し、リンクレバー５８がＲ２方向に回動されると、このリンクレバー５８とリンクロッド４２を介して連結されたレバー４４がＲ４方向に回動される。また、レバー４４がＲ４方向に回動されると、このレバー４４に固定されたロアリンク４６がＲ６方向に回動され、このロアリンク４６と中間ジョイント５０を介して連結されたアッパリンク４８がＲ８方向に回動される。
【００４５】
また、このときには、コイルスプリング２８の捩り力により巻取部材２６がスクリーン１２を巻き取る方向に回転されるので、これにより、スクリーン１２が巻取部材２６に巻き取られる。そして、図２に示されるように、ロアリンク４６及びアッパリンク４８が回動されて、ロアリンク４６とアッパリンク４８とが略水平方向に重なった状態となると、リンク機構１６が折畳姿勢とされる。また、リンク機構１６が折畳姿勢とされると、スクリーン１２が巻取部材２６に完全に巻き取られた収納状態とされる。
【００４６】
ところで、この種のコイルスプリング２８により付勢された巻取部材２６でスクリーン１２を巻き取るように構成された遮光装置１０では、環境温度が低下した場合でも、スクリーン１２を巻取部材２６に確実に巻き取ることができるようにする必要がある。
【００４７】
この点、本発明の一実施形態に係る遮光装置１０では、コイルスプリング２８をカバーするためのカバー部材３０が設けられており、このカバー部材３０は、内径が互いに異なるカバー部３０Ａ，３０Ｂ，３０Ｃを長手方向に複数備え、環境温度の低下に伴い少なくとも径方向に収縮されるように構成されている。
【００４８】
従って、環境温度が低下した場合には、カバー部材３０が、例えば、図４（Ａ）から図４（Ｂ）に示されるように、環境温度の低下に伴い径方向に収縮される。そして、スクリーン１２が巻取部材２６から展開されるときには、カバー部材３０に設けられた複数のカバー部３０Ａ，３０Ｂ，３０Ｃのうち、最も内径が小さく構成されたカバー部３０Ａによってコイルスプリング２８における長手方向の一部の径方向への拡がりが拘束される。
【００４９】
このため、この状態からスクリーン１２が巻取部材２６から展開されたときには、コイルスプリング２８の長手方向の残余部がコイルスプリング２８の有効長Ｌに相当し、環境温度が低下する前と比較してコイルスプリング２８の有効長Ｌが短縮される。これにより、コイルスプリング２８の捩り力（バネ力）が、環境温度が低下する前（常温）と比較して増加される（図５参照）。
【００５０】
また、環境温度がさらに低下した場合には、カバー部材３０が、例えば、図４（Ｂ）から図４（Ｃ）に示されるように、環境温度の低下に伴い径方向にさらに収縮される。そして、スクリーン１２が巻取部材２６から展開されるときには、カバー部材３０に設けられた複数のカバー部３０Ａ，３０Ｂ，３０Ｃのうち、最も内径が小さく構成されたカバー部３０Ａと、二番目に内径が小さく構成されたカバー部３０Ｂとによってコイルスプリング２８における長手方向の一部の径方向への拡がりが拘束される。
【００５１】
このため、この状態からスクリーン１２が巻取部材２６から展開されたときには、コイルスプリング２８の長手方向の残余部がコイルスプリング２８の有効長Ｌに相当し、環境温度が低下する前と比較してコイルスプリング２８の有効長Ｌがさらに短縮される。これにより、コイルスプリング２８の捩り力が、環境温度が低下する前と比較してさらに増加される。
【００５２】
このように、本発明の一実施形態に係る遮光装置１０によれば、環境温度が低下した場合には、コイルスプリング２８の捩り力が、環境温度が低下する前と比較して増加されるので、環境温度が低下した場合でも、スクリーン１２を巻取部材２６に確実に巻き取ることができる。
【００５３】
特に、本発明の一実施形態に係る遮光装置１０によれば、環境温度の低下に伴ってリンク機構１６の負荷が増加しても（つまり、寒さに伴ってリンク機構１６の動きが悪くなっても）、スクリーン１２を巻取部材２６に確実に巻き取ることができる。
【００５４】
また、本発明の一実施形態に係る遮光装置１０によれば、環境温度が低下した場合には、コイルスプリング２８の捩り力を環境温度が低下する前と比較して増加させることができるので、予め低温時を想定してコイルスプリング２８の捩り力を高めておく必要が無い。これにより、常高温時にコイルスプリング２８の捩り力が必要以上に作用することを防止でき、ひいては、駆動モータ５６の負荷が大きくなることや、装置全体の機能性が悪化することを防止できる。
【００５５】
また、本発明の一実施形態に係る遮光装置１０によれば、ポリ塩化ビニールにより形成されたカバー部材３０を用いるだけであるので、製造コストの増加を招くこと無く、スクリーン１２を巻取部材２６に確実に巻き取ることができる。
【００５６】
また、本発明の一実施形態に係る遮光装置１０によれば、複数のカバー部３０Ａ，３０Ｂ，３０Ｃは、別体に構成されている。従って、複数のカバー部３０Ａ，３０Ｂ，３０Ｃを、例えばそれぞれ異なる径の筒状部材等により容易且つ確実に形成することができる。これにより、複数のカバー部３０Ａ，３０Ｂ，３０Ｃを有するカバー部材３０全体の製造コストの増加を防止することができる。
【００５７】
また、本発明の一実施形態に係る遮光装置１０によれば、コイルスプリング２８をカバーするためのカバー部材３０の一部でコイルスプリング２８における長手方向の一部の径方向への拡がりを拘束するので、このコイルスプリング２８における長手方向の一部の径方向への拡がりを拘束するための特別な部材をカバー部材３０とは別に設ける必要が無い。従って、部品点数の増加を防止することができる。
【００５８】
次に、本発明の一実施形態に係る遮光装置１０の変形例について説明する。
【００５９】
上記実施形態では、複数のカバー部３０Ａ，３０Ｂ，３０Ｃが別体に構成されていたが、図６に示されるように、複数のカバー部３０Ａ，３０Ｂ，３０Ｃが一体に構成されていても良い。このようにすると、部品点数の増加を防止することができる。
【００６０】
また、上記実施形態では、カバー部材３０に三つのカバー部３０Ａ，３０Ｂ，３０Ｃが設けられていたが、カバー部３０Ａ，３０Ｂ，３０Ｃは、例えば、二つでも良く、また、三つ以上設けられていても良い。
【００６１】
また、上記実施形態では、複数のカバー部３０Ａ，３０Ｂ，３０Ｃが、内径の小さい順に配置されていたが、他の順番で配置されていても良い。
【００６２】
また、上記実施形態では、カバー部３０Ａ，３０Ｂは、コイルスプリング２８と巻取部材２６との干渉を抑制する機能と、コイルスプリング２８における長手方向の一部の径方向への拡がりを拘束する機能とを有していたが、コイルスプリング２８における長手方向の一部の径方向への拡がりを拘束する機能のみを有して構成されていても良い。
【００６３】
また、上記実施形態では、カバー部材３０がポリ塩化ビニールにより形成されていたが、カバー部材３０は、環境温度の低下に伴い収縮される素材であれば良く、その他にも、例えば、ポリエチレン、ポリスチレン等の熱可塑性樹脂によって形成されていても良い。
【００６４】
また、カバー部材３０は、例えば長手方向に延びる補強繊維等を備えた構成とされて、径方向にのみ収縮可能な構成とされていても良い。
【００６５】
また、上記実施形態では、カバー部３０Ａ，３０Ｂ，３０Ｃの内径が互いに異なって構成されることにより、複数のカバー部３０Ａ，３０Ｂ，３０Ｃとコイルスプリング２８との径方向距離が異なるように構成されていたが、次のようにしても良い。すなわち、複数のカバー部３０Ａ，３０Ｂ，３０Ｃが同一径とされると共にコイルスプリング２８が長手方向に異なる外径で構成されることにより複数のカバー部３０Ａ，３０Ｂ，３０Ｃとコイルスプリング２８との径方向距離が異なるように構成されていても良い。このようにしても、環境温度が低下した場合には、コイルスプリング２８の有効長を短縮することができる。
【００６６】
さらに、上記実施形態では、カバー部３０Ａ，３０Ｂ，３０Ｃの内径を段階的に小さくしているが、例えば各カバー部の内側をテーパ状にして内径を徐変的に小さくするようにしても良い。
【図面の簡単な説明】
【００６７】
【図１】本発明の一実施形態に係る遮光装置の全体構成を示す斜視図である。
【図２】本発明の一実施形態に係る遮光装置の全体構成を示す正面図である。
【図３】本発明の一実施形態に係る遮光装置の要部拡大断面図である。
【図４】本発明の一実施形態に係る遮光装置の動作説明図である。
【図５】本発明の一実施形態に係る遮光装置において低温時と常温時のコイルスプリングの捩り力の変化を示す説明図である。
【図６】本発明の一実施形態に係る遮光装置の変形例を示す図である。
【符号の説明】
【００６８】
１０…遮光装置、１２…スクリーン、１２Ａ…幅方向縁部、１４…巻取機構、１６…リンク機構、１８…ベース部材、２０…駆動機構、２２…コントローラ、２４…スクリーン支持部材、２６…巻取部材、２８…コイルスプリング、３０…カバー部材、３０Ａ，３０Ｂ…カバー部（拘束部）、３０Ｃ…カバー部、３２，３４…ホルダキャップ、３６，３８…シャフト、４０…ステー、４２…リンクロッド、４４…レバー、４６…ロアリンク、４８…アッパリンク、５０…中間ジョイント、５２…アシストスプリング、５６…駆動モータ、５８…リンクレバー、６０…支持部材、６２…出力軸
【図１】
2008230305.tif 000003
【図２】
2008230305.tif 000004
【図３】
2008230305.tif 000005
【図４】
2008230305.tif 000006
【図５】
2008230305.tif 000007
【図６】
2008230305.tif 000008